(57)【要約】【課題】誤挿入防止の機構とカードイジェクト機構を兼備した小型化されたカード用コネクタを提供する。【解決手段】カード５が挿入・抜去されるカード受入空洞４を形成するための、絶縁ハウジング２とカバー部材と、絶縁ハウジング２に装着されて、それぞれのコンタクト片７２がカード受入空洞４に延びている複数の端子７と、カード受入空洞４に挿入されたカード５を抜去する際のカードイジェクト機構６を構成するために、カード受入空洞４内に突出するリブ２７に案内されてカード５と共にスライドするように設けられたスライダ６１とを備えている。スライダ６１を案内するリブ２７が、誤挿入されたカード５に対してのみ、その挿入方向前端に衝突して挿入を停止できる位置に設けられている。【選択図】  図１
2004220787.tif 000002
【特許請求の範囲】
【請求項１】
カード（５）が挿入・抜去されるカード受入空洞（４）を形成するための、絶縁ハウジング（２）とカバー部材（３）と、
前記絶縁ハウジング（２）に装着されて、それぞれのコンタクト片（７２）が前記カード受入空洞（４）に延びている複数の端子（７）と、
前記カード受入空洞（４）に挿入されたカード（５）を抜去する際のカードイジェクト機構（６）を構成するために、カード受入空洞（４）内に突出するリブ（２７）に案内されてカード（５）と共にスライドするように設けられたスライダ（６１）とを備え、
このスライダ（６１）を案内する前記リブ（２７）が、誤挿入されたカード（５）に対してのみ、その挿入方向前端に衝突してカード（５）の挿入を停止できる位置に設けられていることを特徴とするカード用コネクタ。
【請求項２】
前記リブ（２７）は、絶縁ハウジング（２）に一体とされて、カード（５）の挿入・抜去の方向で設けられている請求項１に記載のカード用コネクタ。
【請求項３】
前記リブ（２７）は、誤挿入されたカード（５）の挿入方向前端と衝突する端部（２７１）にテーパ（２７２）が形成され、スライダ（６１）に沿うガイド部分側（２７３）の側長（Ｌ１）が、反対側（２７４）の側長（Ｌ２）に比べて長くされている請求項１又は２に記載のカード用コネクタ。
【請求項４】
前記カードイジェクト機構は、プッシュ／プッシュ形式のカードイジェクト機構（６）であり、前記スライダは、ハートカム溝（６１１）が設けられたカムスライダ（６１）である請求項１〜３のいずれかに記載のカード用コネクタ。
【請求項５】
前記カバー部材は、絶縁ハウジング（２）に組み付けられたメタルシェル（３）である請求項１に記載のカード用コネクタ。
【請求項６】
カード（５）が挿入・抜去されるカード受入空洞（４）を形成するための、絶縁ハウジング（２）とカバー部材（３）と、
前記絶縁ハウジング（２）に装着されて、それぞれのコンタクト片（７２）が前記カード受入空洞（４）に延びている複数の端子（７）とを備え、
前記カード受入空洞（４）を形成した絶縁ハウジング（２）に、カード受入空洞（４）に誤挿入されるカード（５）の挿入を停止させるためのリブ（２７）が設けてあり、
前記リブ（２７）は、カード受入空洞（４）内で、カード（５）と共にスライドするスライダ（６１）を案内する機能を有していることを特徴とするカード用コネクタ。
【請求項７】
前記リブ（２７）は、絶縁ハウジング（２）に一体とされて、カード（５）の挿入・抜去の方向で設けられている請求項６に記載のカード用コネクタ。
【請求項８】
前記リブ（２７）は、誤挿入されたカード（５）の挿入方向前端と衝突する端部（２７１）にテーパ（２７２）が形成され、スライダ（６１）に沿うガイド部分側（２７３）の側長（Ｌ１）が、反対側（２７４）の側長（Ｌ２）に比べて長くされている請求項６又は７に記載のカード用コネクタ。
【請求項９】
前記スライダ（６１）は、コイルスプリング（６２）及びピン部材（６３）と協働してプッシュ／プッシュ形式のカードイジェクト機構（６）を構成するカムスライダ（６１）である請求項６〜８のいずれかに記載のカード用コネクタ。
【請求項１０】
前記カバー部材は、絶縁ハウジング（２）に組み付けられたメタルシェル（３）である請求項６に記載のカード用コネクタ。
【発明の詳細な説明】
【０００１】
【発明の属する技術分野】
この発明は、携帯電話機、ＰＤＡ（Ｐｅｒｓｏｎａｌ  Ｄｉｇｉｔａｌ  Ａｓｓｉｓｔａｎｃｅ）、デジタルカメラ等の電子機器で使用されるメモリーカードを挿入・抜去するためのカード用コネクタに関する。
【０００２】
【従来の技術】
従来、この種のカード用コネクタでは、特開２００１−１６０４５８号公報や特許第３３２５８６５号公報で開示されているように、メモリーカードを端子のコンタクト片が延びているカード受入空洞に挿入して、カードと端子間で電気的接続が形成されるようにしている。また、メモリーカードをカード受入空洞から抜去することで、電気的接続が解除されるようにしている。
【０００３】
カード受入空洞に挿入したメモリーカードの接点パッドと端子のコンタクト片が正しく係合するために、カード受入空洞へ挿入する際のメモリーカードの表裏及び前後（挿入方向）方向があらかじめ決められている。このあらかじめ決められたカードの表裏を逆にしたり、前後を逆にする、誤った挿入（誤挿入）がされると、カードの接点パッドと端子のコンタクト片が正しく係合できないのみならず、端子のコンタクト片等を変形させたりする不都合が起こりうる。
【０００４】
このような誤挿入を防ぐために、前記特開２００１−１６０４５８号公報で開示されたカード用コネクタでは、その図７に示されているように、カード受入空洞に凸部（リブ）５０を設けて、誤挿入されたカード２０の後端２９（この場合の挿入方向前端）がこの凸部５０に衝突して、カードの挿入が停止され、端子のコンタクト片（コンタクト端子４０）が保護されるようにしている。
【０００５】
また、前記特許第３３２５８６５号公報で開示されたカード用コネクタでは、その図１、２に示されているように、カード受入空洞の側方から、屈曲成形された板ばね２８を突出させている。この板ばね２８は、カードが正しく挿入された時のみ、カード受入空洞から退避するように構成されており（段落［００２７］〜［００３３］参照）、これによってコネクタ本体やカードの破損を未然に防ぐようにしている。
【０００６】
カード受入空洞に挿入したメモリーカードの抜去は、カードの後端部を摘んで引き抜く形式のものや、カードイジェクト機構をカード用コネクタ内に設置し、このカードイジェクト機構を操作する形式のものがある。カードイジェクト機構としては、種々の構造のものがあるが、その一つとして、プッシュ／プッシュ形式のカードイジェクト機構が知られている。このプッシュ／プッシュ形式のカードイジェクト機構では、カード受入空洞内で、メモリーカードと共にスライドするカムスライダが設けられる。このカムスライダは、カード受入空洞に突出するようにして、カードの挿入・抜去の方向で設けられたリブで前記のスライドが案内されるように構成される。
【０００７】
【発明が解決しようとする課題】
上記のようなメモリーカード用コネクタは、これを搭載する携帯電話機、ＰＤＡ等の電子機器の小型化に従って、コネクタ自体を小型化することが強く求められている。このような状況下において、前記のようなカードの誤挿入を防止するためのリブや、カードイジェクト機構におけるスライダを案内するリブを、それぞれ個々に設けると、どうしてもカード用コネクタのサイズが大きくなってしまい、小型化の要請に応えられない問題があった。
【０００８】
この発明は、このような問題点に鑑みて成されたもので、誤挿入防止の機構とカードイジェクト機構を兼備した小型化されたメモリーカード用コネクタを提供することを目的としている。
【０００９】
【課題を解決するための手段】
かかる目的を達成するこの発明は、カードが挿入・抜去されるカード受入空洞を形成するための、絶縁ハウジングとカバー部材と、
前記絶縁ハウジングに装着されて、それぞれのコンタクト片が前記カード受入空洞に延びている複数の端子と、
前記カード受入空洞に挿入されたカードを抜去する際のカードイジェクト機構を構成するために、カード受入空洞内に突出するリブに案内されてカードと共にスライドするように設けられたスライダとを備え、
このスライダを案内する前記リブが、誤挿入されたカードに対してのみ、その挿入方向前端に衝突してカードの挿入を停止できる位置に設けられていることを特徴とするカード用コネクタである。
【００１０】
【作用】
このように構成されるこの発明のカード用コネクタによれば、スライダを案内するリブが、誤挿入されたカードの挿入を停止させる機能も発揮させることができる。このため、スライダを案内するためのリブと、誤挿入を防止するためのリブを個々に設けなくても良くでき、カード用コネクタのサイズが不必要に大きくなるのを避けることができる。
【００１１】
このようなリブは、カード受入空洞に突出させて設けられることから、カード受入空洞を形成する絶縁ハウジングとカバー部材のいずれかに設けることができる。絶縁ハウジングに一体とされて、カードの挿入・抜去の方向で設けるようにすると、絶縁ハウジングの成形と同時に設けることができ、製造上有利であり、また、部品点数の増加を招かないようにすることができる。
【００１２】
また、このリブは、誤挿入されたカードの挿入方向前端と衝突する端部にテーパが形成され、スライダに沿うガイド部分側の側長が、反対側の側長に比べて長くすると、スライダに対するガイド範囲を可及的に長くできると共に、誤挿入のカードの停止位置を挿入口に可及的に近い位置とすることができるようになって望ましい。
【００１３】
カードイジェクト機構は、以下の実施形態で説明するように、プッシュ／プッシュ形式のカードイジェクト機構とすることができるが、他の形式のカードイジェクト機構とすることも可能である。プッシュ／プッシュ形式のカードイジェクト機構とする場合、このスライダは、ハートカム溝が設けられたカムスライダで構成される。
【００１４】
カード受入空洞を形成するためのカバー部材は、絶縁ハウジングと同様の絶縁性のカバー部材でも良いが、メタルシェルとすると、静電遮蔽の機能を持つとともに、耐久性を向上させることができるので望ましい。
【００１５】
【発明の実施の形態】
以下、この発明の実施形態を添付の図を参照して説明する。
【００１６】
実施形態のメモリーカード用コネクタ１（以下、単に「カード用コネクタ」とも言う）は、図３に示したような外観を呈している。図１、２に示した如くの絶縁ハウジング２に被せるようにしてメタルシェル３が組み付けられている。絶縁ハウジング２とメタルシェル３によってカード受入空洞４が形成されている。カード受入空洞４は、カード用コネクタ１の前端（図３において右手前側）が開口しており、この開口をカード挿入口４１として、メモリーカード５（図４、５参照）をカード受入空洞４内へ挿入・抜去できるようにされている。
【００１７】
絶縁ハウジング２は、絶縁性のプラスチックで図２に示したような形状に成形されている。方形板の前縁に弧状の凹入部２１１が形成された形状の底板２１を有している。底板２１の後縁に沿って端子装着壁２２が一体に立設してある。また、底板２１の両側縁には、ブロック状の側壁２３、２４が一体に立設してある。図１、２において手前側に表れている一方の側壁２３は、底板２１の側縁の略全長に亘る長さで設けられている。他方の側壁２４は、これに比べて短く、底板２１の前端側に寄せて設けられており、この側壁２４から端子装着壁２２までの部分に、カードイジェクト機構のためのスペース２５が確保されている。そして、このスペース２５の外側を覆うようにして薄い側壁２６が底板２１と一体で立設してある。
【００１８】
更に、絶縁ハウジング２の底板２１には、前記スペース２５に隣接するようにして、カード受入空洞４内に突出するリブ２７が一体で設けられている。リブ２７は、端子装着壁２２から前記カード挿入口４１の方向に向けて形成されており、メモリーカード５の挿入・抜去の方向と一致させてある。
【００１９】
絶縁ハウジング２に設けたカードイジェクト機構のためのスペース２５には、プッシュ／プッシュ形式のカードイジェクト機構６が組み込まれている。このプッシュ／プッシュ形式のカードイジェクト機構６は、カムスライダ６１と、カムスライダ６１を付勢するコイルスプリング６２と、ピン部材６３とで構成されている。カムスライダ６１が、スペース２５の中を前記リブ２７で案内されながらスライドできるようにされている。ピン部材６３は、一端が前記側壁２４の上面にピボット係合され、他端がカムスライダ６１の上面に形成されたハートカム溝６１１に係合させてあり、この他端がハートカム溝６１１に沿って循環移動（相対移動）できるようにされている。コイルスプリング６２がカムスライダ６１を、常時カード挿入口４１の方向に付勢しており、ピン部材６３とハートカム溝６１１の係合によって、カムスライダ６１がプッシュ／プッシュ形式のスライド動作をするようにしている。
【００２０】
カムスライダ６１の内側壁６１２は、カード受入空洞４に露出している。この露出する内側壁６１２の前端側（カード挿入口４１側）には、メモリーカード５と係合可能のロック突起６１３が設けられている。また、内側壁６１２の後端側（端子装着壁２２側）は、図７に拡大して示されているように、階段状に形成されて、上部のひさし６１４がカード受入空洞４の上部に張り出すようにされている。
【００２１】
前記絶縁ハウジング２の底板２１に設けたリブ２７は、このカムスライダ６１の階段状とされた内側壁６１２に対応させて、その位置と形状が決められている。即ち、リブ２７は断面が略凸形状とされて、カムスライダ６１のひさし６１４がリブ２７の上側に沿って移動し、そして、カムスライダ６１の階段状とされた内側壁６１２がリブ２７の階段状の部分（図７において右側面）に沿って移動するようにされている。カムスライダ６１がスペース２５においてスライドする時に、上下方向及び横方向でブレが生じないように、リブ２７がカムスライダ６１を案内するようにしている。
【００２２】
カムスライダ６１の内側壁６１２からは、更に係合板６１５がカード受入空洞４に向かって延びている。この係合板６１５は、カード挿入口４１と正対するように、カムスライダ６１の長手方向に対して略直角の方向で設けられている。係合板６１５は、前記リブ２７を越える長さを有しており、カード挿入口４１を通して挿入されるメモリーカード５の挿入方向前端の一側が、この係合板６１５に係合するようにしている。リブ２７を越えて延びる係合板６１５の下縁には、リブ２７の断面形状に対応させた切欠部６１６が形成してあり、切欠部６１６とリブ２７の係合も、カムスライダ６１のスライドを案内することとなっている。
【００２３】
絶縁ハウジング２の端子装着壁２２には、図７に示されているように、端子装着孔２２１が複数、形成されている。各端子装着孔２２１には、端子７が装着されている。端子７は、薄金属板を打ち抜いて成形したもので、図１、６、８に示されているように、端子装着孔２２１に係止する装着片７１の一端からコンタクト片７２が延びている。また、装着片７１の他端から半田テイル７３が垂下している。装着片７１を端子装着孔２２１に係合させることによって、コンタクト片７２がカード受入空洞４の奥で上部に片持ち梁状となって臨み、半田テイル７３は端子装着壁２２の外側に沿って垂下して、半田付けされる部分が絶縁ハウジング２の底面と略面一となるようにされている。
【００２４】
端子７のコンタクト片７２の先端部は、図８に最もよく表れているように、下側に向けて屈曲成形されて、下側にコンタクト部７２１が設けられている。メモリーカード５が、その接点パッド５１を上向きにしてカード受入空洞４に挿入された時に、コンタクト部７２１と接点パッド５１が対向して、適切な接触圧のもとに係合できるようにされている。
【００２５】
このように構成されたカード用コネクタ１は、図４、５に示したメモリーカード５を接続できるように構成されたものである。メモリーカード５を示している図４は表面５２側の斜視図であり、図５は裏面５３側の斜視図である。メモリーカード５は、略方形の板状とされており、内部に半導体メモリーやＣＰＵなどが内蔵され、それらで構成された回路に導通している複数の接点パッド５１が、図５のように裏面５３の端部５６に沿って並列して設けられている。
【００２６】
略方形の板状に形成されたメモリーカード５には、極性決めのために、４つの角部のうちの一つの角部に切欠部５４が設けられている。また、表面５２の両側縁には弧状の凹部でなるロック凹部５５が設けられている。
【００２７】
図３に表れているように、前記絶縁ハウジング２の底板２１に立設した側壁２３、２４の間隔が、メモリーカード５の幅Ｗに略等しくしてあり、カード受入空洞４に挿入し、また、抜去されるメモリーカード５が側壁２３、２４で案内できるようにされている。また、カムスライダ６１の内側壁６１２に対応させた位置と形状で設けられた前記リブ２７は、メモリーカード５に極性決めのために形成された切欠部５４にも対応させた位置と形状ともなっている。即ち、メモリーカード５が図５に示した状態で、裏面５３を上向きとし、接点パッド５１が設けられた端部５６を前方としてカード受入空洞４に挿入される時、リブ２７が切欠部５４の部分に丁度収容され、メモリーカード５が障害なく挿入できるようにされている。
【００２８】
更に、前記カムスライダ６１に設けたロック突起６１３と係合板６１５も、メモリーカード５の形状に対応させてある。即ち、メモリーカード５が上記のようにして挿入された時、係合板６１５は切欠部５４を越えて端部５６の端面まで延びて、この端面と係合できるようにしてある。そして、同時に、ロック突起６１３はメモリーカード５に形成されているロック凹部５５（切欠部５４の近くにある一方のロック凹部）に嵌まって係合できるようにしてある。
【００２９】
絶縁ハウジング２に組み付けられているメタルシェル３は、ステンレススチールなどの金属板を打ち抜いて成形したものである。図３に示されているように、絶縁ハウジング２の両側壁２３、２４の上部を覆う幅にされた略方形のシェル本体３１と、シェル本体３１の縁部から垂下するいくつかの係合片３２を有している。係合片３２には、方形開口部３２１が形成されて、絶縁ハウジング２側の側壁２３、２４や端子装着壁２２の外面に突出させて設けられた係合突部２３１に嵌まり、絶縁ハウジング２とメタルシェル３が一体となるようにされている。
【００３０】
次に、図９及び図１１を参照して上記のカード用コネクタ１のカード受入空洞４にメモリーカード５を挿入して端子７に接続する時の様子について説明する。これまでの説明で明らかなように、メモリーカード５の正規の挿入は、裏面５３を上向きとし、接点パッド５１が設けられた端部５６を挿入方向前端として挿入することになっている。メモリーカード５を、カード挿入口４１を通してカード受入空洞４に挿入すると、先ず、挿入方向前端となる端部５６の端面一側が、カムスライダ６１の係合板６１５と係合し、また、ロック突起６１３がロック凹部５５に係合する（図１参照）。
【００３１】
メモリーカード５とカムスライダ６１がこのように係合した状態で、更にメモリーカード５の挿入を続けると、カムスライダ６１がメモリーカード５と共に挿入方向にスライドする。図９は、メモリーカード５（鎖線で図示）をカード受入空洞４の最も奥まで挿入した状態を表している。カード受入空洞４に突出するように設けたリブ２７が、メモリーカード５の切欠部５４に丁度収容されて、メモリーカード５は障害なく挿入できている。
【００３２】
ところで、前記リブ２７は、カード挿入口４１と向き合っている端部２７１の一側に、図１０に拡大して示してあるように、テーパ２７２が形成されている。このテーパ２７２は、メモリーカード５の切欠部５４を画成している斜縁５４１に対応させたもので、リブ２７がメモリーカード５の挿入（正規挿入）の最後まで邪魔にならないようにするものである。また、これに加えて、リブ２７のカムスライダ６１に沿うガイド部分側２７３の側長Ｌ１を反対側２７４の側長Ｌ２に比べて長くし、カムスライダ６１を案内する範囲を可及的に長くするものでもある。
【００３３】
メモリーカード５をカード受入空洞４の最も奥まで挿入した後、メモリーカード５に加えた挿入力を解除する。挿入力を解除すると、カードイジェクト機構６のコイルスプリング６２の弾力でカムスライダ６１とメモリーカード５は、抜去の方向に若干戻されて、図１１に示されているように、接続位置で停止し、そこに維持（ロック）される。プッシュ／プッシュ形式のカードイジェクト機構６のピン部材６３がハートカム溝６１１中の停止溝の部分に係合してカムスライダ６１のスライドが拘束されるためである。メモリーカード５がこの接続位置にある時に、端子７のコンタクト片７２に形成したコンタクト部７２１は、接点パッド５１と係合した状態となり、メモリーカード５と端子７は接続状態となって維持される。
【００３４】
カード受入空洞４に挿入したメモリーカード５を抜去する時は、プッシュ／プッシュ形式のカードイジェクト機構６の操作方法に従い、メモリーカード５を挿入方向に図９の状態まで押し込んだ後、挿入力を解除して行う。メモリーカード５を押し込むと、ハートカム溝６１１中の停止溝とピン部材６３の係合が解除され、挿入力が解除されると、コイルスプリング６２の弾力でカムスライダ６１とメモリーカード５が押し戻されて、図１に鎖線で示したように抜去することができ、そして、端子７とメモリーカード５の接続が解除される。
【００３５】
図１２と図１３は、メモリーカード５が誤挿入される場合を示している。図１２は、メモリーカード５の前後方向が反対とされ、接点パッド５１が設けられた端部５６を挿入方向後端として挿入される場合である。この場合、カード受入空洞４内に設けたリブ２７を収容する切欠部５４が進入してこない。挿入方向前端となるもう一つの端部５７が進入してくる。この端部５７には切欠部が形成されていないために、端面の一側がリブ２７の端部２７１のストッパ面２７５（図１０参照）に衝突する。リブ２７がメモリーカード５の更なる挿入を停止させ、コンタクト片７２にメモリーカード５の端部５７が接触するなどの不都合を防止する。
【００３６】
リブ２７の端部２７１にテーパ２７２を形成したことで、ストッパ面２７５がカード挿入口４１に可及的に近い位置に配置され、誤挿入されたメモリーカード５を早期に挿入停止させることができるようになっている。
【００３７】
図１３は、メモリーカード５の表裏を逆にして、端部５６に設けた接点パッド５１を下向きにして誤挿入される場合である。この場合も、リブ２７に対応して切欠部５４が進入してこない。挿入方向前端となる端部５６の一側端面がリブ２７のストッパ面２７５に衝突して、それ以上の挿入が停止される。
【００３８】
絶縁ハウジング２の長い側壁２３の奥の部分と端子装着壁２２を利用して、検出スイッチ８が設けられている。側壁２３に装着されている端子８１と、端子装着壁２２に装着されている端子８２で構成されている。メモリーカード５が正規の状態で挿入されると、図９、１１に表れているように、メモリーカード５の側縁が端子８１を外側に変形させて、メモリーカード５の挿入を検出できるようにされている。
【００３９】
また、絶縁ハウジング２の各側壁２３、２４には、金属ネイル９がそれぞれ装着されている。端子７の半田テイル７３が半田付けされる回路基板（図示せず）にこの金属ネイル９も半田付けして、カード用コネクタ１を回路基板に強固に実装できるようにされている。前記検出スイッチ８を構成した端子８１、８２も比較的大きな半田テイル８１１、８２１を有しており、金属ネイル９と協働して実装強度を高めることができるようにされている。
【００４０】
尚、これまでに説明したカード用コネクタ１では、メモリーカード５は接点パッド５１を上向きにして挿入し、端子７のコンタクト片７２が接点パッド５１の上から弾接するように構成した。この発明は、このような形態に限られるものではなく、接点パッド５１を下向きにして挿入することとし、コンタクト片７２が接点パッド５１に下から弾接するように構成することもできる。
【００４１】
また、カード受入空洞４は絶縁ハウジング２とメタルシェル３で構成し、メタルシェル３の静電遮蔽効果を享受できるようにしたが、メタルシェル３を絶縁ハウジング２と同様のプラスチックで成形したカバー部材とすることもできる。
【００４２】
【発明の効果】
以上に説明したように、この発明のカード用コネクタは、誤挿入されるカードの挿入を停止させるためのリブで、カード受入空洞内をスライドするスライダも案内するようにしたので、リブを個々に設けてコネクタのサイズが大きくなるのを回避し、小型化されたカード用コネクタを構成できる効果がある。
【図面の簡単な説明】
【図１】この発明の実施形態のカード用コネクタの、メタルシェルを除いて示した斜視図である。
【図２】同じく実施形態のカード用コネクタを構成した絶縁ハウジングの斜視図である。
【図３】同じく実施形態のカード用コネクタの斜視図である。
【図４】カード用コネクタに接続されるメモリーカードの表面側の斜視図である。
【図５】同じくメモリーカードの裏面側の斜視図である。
【図６】実施形態のカード用コネクタの、メタルシェルを除いて示した平面図である。
【図７】絶縁ハウジングに設けたリブとカムスライダが係合する部分の破断拡大斜視図である（図９のＡ−Ａ線に沿った面での破断拡大斜視図であり、端子７は省略されている）。
【図８】実施形態のカード用コネクタの縦断面図である。
【図９】実施形態のカード用コネクタにメモリーカードを挿入する時の説明図で、メモリーカードをカード受入空洞の最も奥まで挿入した状態の図である。
【図１０】絶縁ハウジングに設けたリブの部分を拡大して示す斜視図である。
【図１１】図９と同様の説明図で、メモリーカードが接続位置にある状態の図である。
【図１２】メモリーカードが前後を逆にして誤挿入された場合の説明図である（カードイジェクト機構は省略されている）。
【図１３】メモリーカードが表裏を逆にして誤挿入された場合の説明図である（カードイジェクト機構は省略されている）。
【符号の説明】
１          メモリーカード用コネクタ
２          絶縁ハウジング
２１        底板
２１１      凹入部
２２        端子装着壁
２２１      端子装着孔
２３        側壁
２３１      係合突部
２４        側壁
２５        スペース
２６        側壁
２７        リブ
２７１      端部
２７２      テーパ
２７３      ガイド部分側
２７４      反対側
２７５      ストッパ面
３          メタルシェル
３１        シェル本体
３２        係合片
３２１      方形開口部
４          カード受入空洞
４１        カード挿入口
５          メモリーカード
５１        接点パッド
５２        表面
５３        裏面
５４        切欠部
５５        ロック凹部
５６        端部
５７        端部
６          カードイジェクト機構
６１        カムスライダ
６１１      ハートカム溝
６１２      内側壁
６１３      ロック突起
６１４      ひさし
６１５      係合板
６１６      切欠部
７          端子
７１        装着片
７２        コンタクト片
７２１      コンタクト部
７３        半田テイル
８          検出スイッチ
８１        端子
８１１      半田テイル
８２        端子
８２１      半田テイル
９          金属ネイル
【図１】
2004220787.tif 000003
【図２】
2004220787.tif 000004
【図３】
2004220787.tif 000005
【図４】
2004220787.tif 000006
【図５】
2004220787.tif 000007
【図６】
2004220787.tif 000008
【図７】
2004220787.tif 000009
【図８】
2004220787.tif 000010
【図９】
2004220787.tif 000011
【図１０】
2004220787.tif 000012
【図１１】
2004220787.tif 000013
【図１２】
2004220787.tif 000014
【図１３】
2004220787.tif 000015